(57)【特許請求の範囲】
【請求項１】
樹脂製の第１部材と樹脂製の第２部材からなり、
該第１部材は四角形断面且つ長手方向に延びる板状の第１基部の上端から外側に直角に延びる第１上部鍔部と、第１基部の上下方向の中間から外側に直角に延びる第１中間鍔部と、第１基部の下端から外側に直角に延びる第１下部鍔部と、該第１上部鍔部と該第１中間鍔部間の第１上部係止溝と、該第１中間鍔部と該第１下部鍔部間の第１下部係止溝を有し、
該第２部材は四角形断面且つ長手方向に延びる板状の第２基部の上端から外側に直角に延びる第２上部鍔部と、第２基部の上下方向の中間から外側に直角に延びる第２中間鍔部と、第２基部の下端から外側に直角に延びる第２下部鍔部と、該第２上部鍔部と該第２中間鍔部間の第２上部係止溝と、該第２中間鍔部と該第２下部鍔部間の第２下部係止溝を有し、
該第１基部と該第２基部の内側の面同士が当接した状態において、
該第１上部鍔部、該第２上部鍔部、該第１上部係止溝、該第２上部係止溝、第１中間鍔部及び該第２中間鍔部で形成される上部係止部と、
該第１下部鍔部、該第２下部鍔部、該第１下部係止溝、該第２下部係止溝、第１中間鍔部及び該第２中間鍔部で形成される下部係止部とで係止構造体を形成し、
該第１部材を表示体に係止させた後、第２部材を表示体に係止させ、その後、第１部材と第２部材とを当接させ、該第１部材と該第２部材を当接させた状態で、支持体に係止させ、該上部係止部は表示体に連結し、該下部係止部は支持体に係止するものであることを特徴とする表示体連結具。
【請求項２】
該第１基部と該第２基部の内側の面には、互いに長手方向にスライドして係止するそれぞれ第１係止部と第２係止部を有し、該第１係止部と該第２係止部を係止させ、該第１基部と該第２基部の内側の面同士を当接させて、表示体に組み付けることを特徴とする請求項１記載の表示体連結具。
【請求項３】
前記第１上部係止溝、前記第１下部係止溝、前記第２上部係止溝及び前記第２下部係止溝は、それぞれ四角断面溝であることを特徴とする請求項１又は２に記載の表示体連結具。
【請求項４】
前記第１係止部と前記第２係止部は、一方が前記第１基部又は前記第２基部の内側の面から内方に切り込まれ且つスライド方向に延びる係合溝であり、他方が該係合溝に係止する前記第１基部又は前記第２基部の内側の面より突出し且つスライド方向に延びる突出片であることを特徴とする請求項２又は３に記載の表示体連結具。
【請求項５】
該係合溝は、長手方向の両端の中、少なくとも一端まで延びていることを特徴とする請求項４に記載の表示体連結具。
【請求項６】
逆Ｔ字断面形状の支持体係止溝を有する支持体と、逆Ｔ字断面形状の表示体係止溝を有する表示体を連結するものであることを特徴とする請求項１〜５のいずれか１項に記載の表示体連結具。
【請求項７】
第１下部鍔部及び第２下部鍔部を底板とし、前記底板の裏面に支持体との嵌合を強くするための微小突起を形成したことを特徴とする請求項１〜６のいずれか１項に記載の表示体連結具。
【請求項８】
第１上部鍔部及び第２上部鍔部を天板とし、前記天板の上面に表示具との嵌合を強くするための微小突起を形成したことを特徴とする請求項１〜７のいずれか１項に記載の表示体連結具。
【請求項９】
第１中間鍔部及び第２中間鍔部の上面に表示具との嵌合を強くするための微小突起を形成したことを特徴とする請求項１〜８のいずれか１項に記載の表示体連結具。
【請求項１０】
前記上部係止部と前記下部係止部の係止構造体を長手方向における一部に有することを特徴とする請求項１〜９のいずれか１項に記載の表示体連結具。
【請求項１１】
前記係止構造体に長手方向に連続する縦長部を有し、該縦長部における第１部材は、前記第１基部の高さより小の高さで該第１基部と段差を介して連続する第３基部と、該第３基部の下端から外側に直角に延びる第３下部鍔部を有し、該縦長部における第２部材は、前記第２基部の高さより小の高さで該第２基部と段差を介して連続する第４基部と、該第４基部の下端から外側に直角に延びる第２下部鍔部と同形状の第４下部鍔部を有することを特徴とする請求項１０に記載の表示体連結具。
【請求項１２】
前記縦長部に長手方向に連続する結合部を有し、該結合部における第１部材は、前記第３基部から連続して長手方向に延びる第１係止部を有し、該結合部における第２部材は、前記第４基部から連続して長手方向に延び且つ左右方向に拡幅の第５基部を有し、該第５基部の下端から両外側に直角に延びる左右鍔部を有し、該左右鍔部の一方の鍔部は、該第４下部鍔部と同形状で連続するものであることを特徴とする請求項１１記載の表示体連結具。
【発明の詳細な説明】
【技術分野】
【０００１】
本発明は、ポール等の固定支持体と凹状溝付きポスターフレーム（表示体）の連結に好適な表示体連結具に関するものである。
【背景技術】
【０００２】
図１３の符号５０は、従来より使用されているポスターフレームであり、フレームの中にはポスター等の表示板が入る。このようなポスターフレームとしては、種々のものが提案されている（特開２００５−５２６３３号公報）。
【０００３】
図１３の従来のポスターフレーム５０は、２つの横部材５１ｂと２つの縦部材５１ａと４つのコーナー部材５２とからなり、横部材５１ｂと縦部材５１ａの外側面には、両端が閉じられた逆Ｔ字断面形状の凹状溝５３が形成されている。この凹状溝５３は、補強用の長尺状の金属板（不図示）を埋設するために形成されており、金属板は螺子孔５４を利用して螺子の螺合により固定されていた。
【０００４】
また、従来、ポール等の固定支持体に、ポスターフレーム５０を固定する方法としては、固定側の横部材又は縦部材を内側から螺子により固定する方法が知られている。この方法によれば、ポール等の固定支持体に、ポスターフレーム５０を確実に固定できる。
【先行技術文献】
【特許文献】
【０００５】
【特許文献１】特開２００５−５２６３３号公報
【発明の概要】
【発明が解決しようとする課題】
【０００６】
しかしながら、従来のポール等の固定支持体にポスターフレーム５０を固定する方法は、ポスターフレーム５０の横部材又は縦部材を固定支持体に固定するため、ポスターフレーム５０の内側から螺子やドライバーを入れ込み、更に、横部材又は縦部材の凹状溝５３内を通して行うため、作業がやり難く、面倒であった。従って、ポール等の固定支持体にポスターフレーム５０を固定する際、作業し易い方法が望まれていた。また、商品売り場の模様替えにも容易に対応できるように、ポールに対するポスターフレーム５０の固定位置を容易に変更できることも切望されていた。
【０００７】
すなわち、本発明の目的は、ポール等の固定支持体に表示体を固定する際、取付け作業が行い易い表示体連結具を提供することにある。また、本発明の他の目的は、支持体に対する表示体の固定位置を容易に変更できる表示体連結具を提供することにある。また、本発明の他の目的は、一方の連結側に形成された両端が閉じられた逆Ｔ字断面形状の凹状溝と、他方の連結側に形成された少なくとも１端が開放された係止溝を利用して支持体と表示体を連結する表示体連結具を提供することにある。
【課題を解決するための手段】
【０００８】
かかる実情において、本発明者は鋭意検討を行った結果、従来のポスターフレームは、逆Ｔ字断面形状の凹状溝に補強用の長尺状の金属板を埋設せずとも十分な強度があること、更にこの凹状溝は係止溝として使用できること、幅の狭い係止溝内に連結具を挿入するには、樹脂製中尺体を縦に半割りした２つの部材を別々に挿入し、組み付け体においては、上部係止部と下部係止部の２段係止構造とすれば、両者をドライバーなどの道具を使用せずに連結できることなどを見出し、本発明を完成するに至った。
【０００９】
すなわち、本発明は、樹脂製の第１部材と樹脂製の第２部材からなり、該第１部材は四角形断面且つ長手方向に延びる板状の第１基部の上端から外側に直角に延びる第１上部鍔部と、第１基部の上下方向の中間から外側に直角に延びる第１中間鍔部と、第１基部の下端から外側に直角に延びる第１下部鍔部と、該第１上部鍔部と該第１中間鍔部間の第１上部係止溝と、該第１中間鍔部と該第１下部鍔部間の第１下部係止溝を有し、該第２部材は四角形断面且つ長手方向に延びる板状の第２基部の上端から外側に直角に延びる第２上部鍔部と、第２基部の上下方向の中間から外側に直角に延びる第２中間鍔部と、第２基部の下端から外側に直角に延びる第２下部鍔部と、該第２上部鍔部と該第２中間鍔部間の第２上部係止溝と、該第２中間鍔部と該第２下部鍔部間の第２下部係止溝を有し、該第１基部と該第２基部の内側の面同士を当接又は係止させ、該第１上部鍔部、該第２上部鍔部、該第１上部係止溝、該第２上部係止溝、第１中間鍔部及び該第２中間鍔部で形成される上部係止部と、該第１下部鍔部、該第２下部鍔部、該第１下部係止溝、該第２下部係止溝、第１中間鍔部及び該第２中間鍔部で形成される下部係止部とからなる係止構造体を備えることを特徴とする表示体連結具を提供するものである。
【００１０】
また、本発明は、該第１基部と該第２基部の内側の面には、互いに長手方向にスライドして係止するそれぞれ第１係止部と第２係止部を有し、該第１係止部と該第２係止部を係止させ、該第１基部と該第２基部の内側の面同士を係止させて組み付けることを特徴とする前記表示体連結具を提供するものである。
【００１１】
また、本発明は、前記第１上部係止溝、前記第１下部係止溝、前記第２上部係止溝及び前記第２下部係止溝は、それぞれ四角断面溝であることを特徴とする前記表示体連結具を提供するものである。
【００１２】
また、本発明は、前記第１係止部と前記第２係止部は、一方が前記第１基部又は前記第２基部の内側の面から内方に切り込まれ且つスライド方向に延びる係合溝であり、他方が該係合溝に係止する前記第１基部又は前記第２基部の内側の面より突出し且つスライド方向に延びる突出片であることを特徴とする前記表示体連結具を提供するものである。
【００１３】
また、本発明は、該係合溝は、長手方向の両端の中、少なくとも一端まで延びていることを特徴とする前記表示体連結具を提供するものである。
【００１４】
また、本発明は、逆Ｔ字断面形状の支持体係止溝を有する支持体と、逆Ｔ字断面形状の表示体係止溝を有する表示体を連結するものであることを特徴とする前記表示体連結具を提供するものである。
【００１５】
また、本発明は、第１下部鍔部及び第２下部鍔部を底板とし、前記底板の裏面に微小突起を形成したことを特徴とする前記表示体連結具を提供するものである。
【００１６】
また、本発明は、第１上部鍔部及び第２上部鍔部を天板とし、前記天板の上面に微小突起を形成したことを特徴とする前記表示体連結具を提供するものである。
【００１７】
また、本発明は、第１中間鍔部及び第２中間鍔部の上面に微小突起を形成したことを特徴とする前記表示体連結具を提供するものである。
【００１８】
また、本発明は、前記上部係止部と前記下部係止部の係止構造体を長手方向における一部に有することを特徴とする前記表示体連結具を提供するものである。
【００１９】
また、本発明は、前記係止構造体に長手方向に連続する機能部を有し、該機能部における第１部材は、前記第１基部の高さより小の高さで該第１基部と段差を介して連続する第３基部と、該第３基部の下端から外側に直角に延びる第３下部鍔部を有し、該機能部における第２部材は、前記第２基部の高さより小の高さで該第２基部と段差を介して連続する第４基部と、該第４基部の下端から外側に直角に延びる第２下部鍔部と同形状の第４下部鍔部を有することを特徴とする前記表示体連結具を提供するものである。
【００２０】
また、本発明は、前記機能部に長手方向に連続する結合部を有し、該結合部における第１部材は、前記第３基部から連続して長手方向に延びる第１係止部を有し、該結合部における第２部材は、前記第４基部から連続して長手方向に延び且つ左右方向に拡幅の第５基部を有し、該第５基部の下端から両外側に直角に延びる左右鍔部を有し、該左右鍔部の一方の鍔部は、該第４下部鍔部と同形状で連続するものであることを特徴とする前記表示体連結具を提供するものである。
【発明の効果】
【００２１】
本発明によれば、縦に略半割りの２つ部材の中、先に第１部材を両端が閉じられた逆Ｔ字断面形状の凹状溝内に入れ、次いで、第２部材を凹状溝内の第１部材の下方側に入れ、両者又はいずれか１方を長手方向（縦方向）にスライドして、第１部材と第２部材を当接又は係止させれば、幅が狭い凹状溝内に、例えば上部係止部を嵌め込むことができる。次いで、自由端となった下部係止部を、他方の連結側に形成された少なくとも１端が開放された支持体係止溝にスライドさせて嵌め込めば、支持体と表示体を連結できる。このように、本発明の連結具は、固定支持体に表示体をドライバーや螺子を使用しないで容易に連結することができる。
【００２２】
また、第１係止部と第２係止部を係止させれば、第１部材と第２部材を確実に係止できる。支持体と表示体の係止溝を構成する左右両鍔を四角断面溝に確実に嵌めこむことができる。また、第１部材と第２部材をスライド移動させるのみで得ることができる。また、組み立て体形状を、第１部材と第２部材を長手方向にスライド移動させるのみで得ることができる。また、支持体との強い嵌合が得られる。また、機能部の存在により、表示体の閉じた係止溝端に段差を当接した嵌め込みができ、且つ支持体側を縦長にできるため、支持体との嵌合が安定する。また、結合部の第１係止部に切り欠き部を形成し、第５基部に該切り欠き部に対応する螺子孔を形成すれば、第１部材と第２部材を螺子で固定でき、組み立て体を構成する２つの部材がずれることなく安定し、更に螺子の螺合を支持体まで進めれば、支持体に強く固定できる。また、螺子を緩めれば、ポールに対するポスターフレームの固定位置を容易に変更できる。
【図面の簡単な説明】
【００２３】
【図１】本発明の実施の形態における表示体連結具の分解斜視図である。
【図２】本発明の実施の形態における表示体連結具の他の分解斜視図である。
【図３】（Ａ）は本発明の実施の形態における表示体連結具の表側から見た斜視図であり、（Ｂ）は（Ａ）の反対側面から見た斜視図である。
【図４】（Ａ）は本発明の実施の形態における表示体連結具の裏側から見た斜視図であり、（Ｂ）は（Ａ）の反対側面から見た斜視図である。
【図５】図１の表示体連結具を下から見た図である。
【図６】図１の表示体連結具を上から見た図である。
【図７】図１の表示体連結具を使用した連結方法を説明する図である。
【図８】図７に続く工程である。
【図９】図８に続く工程である。
【図１０】図９を反対側面から見た図である。
【図１１】図９に続く工程である。
【図１２】図１１の連結部の一部を断面で示す図である。
【図１３】図１１に続く工程である。
【図１４】図１３に続く工程である。
【図１５】図１４の連結部の一部を断面で示す図である。
【図１６】本発明の他の実施の形態における表示体連結具の分解斜視図である。
【発明を実施するための形態】
【００２４】
次に、本発明の実施の形態における表示体連結具（単に、「連結具」とも言う。）を図１〜図６を参照して説明する。本明細書中、特に断らない限り、図１に示すように、長手方向はＬ方向を、幅方向はＷ方向を、下方向はＤ方向を、上方向はＵ方向を言う。なお、下方向及び上方向は使用状態における方向を言うものではない。また、明細書中、「機能部」は、本発明の「縦長部」に相当する。表示体連結具１０は、樹脂製の第１部材１と樹脂製の第２部材２の組み付け体である。樹脂製の第１部材１と樹脂製の第２部材２において、図１の符号Ｘは、それぞれ、長手方向長さが２５ｍｍ〜１００ｍｍ程度で、全体長さは中尺状であり、内側の面から外側端までの幅寸法Ｗ1、Ｗ2は、表示体の係合溝５３の幅寸法Ｗ3より小のものである。これにより、第１部材１と第２部材２の組立体形状では、係合溝５３の幅寸法Ｗ3に嵌らないものの、第１部材１又は第２部材の単独部材では、係合溝５３に嵌ることになる。
【００２５】
表示体連結具１０において、第１部材１は図５に示すように、四角形断面且つ長手方向に延びる板状の第１基部１１の上端から外側に直角に延びる第１上部鍔部１２と、第１基部１１の上下方向の中間から外側に直角に延びる第１中間鍔部１３と、第１基部１１の下端から外側に直角に延びる第１下部鍔部１４と、第１上部鍔部１２と第１中間鍔部１３間の第１上部係止溝１５と、第１中間鍔部１３と第１下部鍔部１４間の第１下部係止溝１６を有する。
【００２６】
第１部材１において、第１基部１１は、本例では、上下方向の長さが幅方向長さに比較して大の縦長の矩形断面のものであり、内側の面１１７は第２部材２に対する当接面を形成する。当接面は内側の面１１７全体であってもよく、内側の面１１７の一部であってもよい。内側の面１１７の一部とは、第１基部１１がくり抜き状のリブ構造の場合に表れるものである。従って、第１基部１１の板状とは、内側の面１１７から内方（深さ方向）に一部がくり抜かれたものであってもよい。また、第１部材１は、第１基部１１の内側の面１１７より第２部材２と当接する方向へ突出し且つ長手方向（スライド方向）に延びる突出片１１１を有する。突出片１１１は、第２部材２の係合溝２１６に係合するものであり、組み立て体形状を、第１部材１と第２部材２を長手方向にスライド移動させるのみで得ることができる。
【００２７】
第１部材１において、第１上部鍔部１２、第１中間鍔部１３及び第１下部鍔部１４は、いずれも矩形断面形状（板状形状）であり、このため、第１上部係止溝１５及び第１下部係止溝１６は、いずれも四角断面溝である。これにより、支持体６０と表示体５０の係止溝６１、５３を構成する左右両鍔部６５、５５を四角断面溝に確実に嵌めこむことができる。また、第１上部鍔部１２、第１中間鍔部１３及び第１下部鍔部１４は、本例では図１の長手方向の符号Ｘの範囲に形成されている。
【００２８】
第１部材１において、第１上部鍔部１２は天板を構成するものであり、第１上部鍔部１２の上面には高さが１ｍｍ程度の微小突起１９が形成されている。これにより、表示体５０との強い嵌合が得られる。また、第１中間鍔部１３の上面には、高さが１ｍｍ程度の微小突起１８が形成されている。これにより、表示体５０との強い嵌合が得られる。また、第１下部鍔部１４は底面を形成するものであり、その下面１１９には、高さが１ｍｍ程度の微小突起１９ａが形成されている。これにより、支持体６０との強い嵌合が得られる。Ｘ域における第１上部鍔部１２、第１中間鍔部１３及び第１上部係止溝１５は、上部係止部の一部を構成し、第１中間鍔部１３、第１下部鍔部１４及び第１下部係止溝１６は、下部係止部の一部を構成し、上部係止部の一部及び下部係止部の一部で、本発明の係止構造体Ｘ１の一部を構成する。
【００２９】
第１部材１の機能部Ｙは、係止構造体Ｘ１に長手方向に連続する。第１部材１は、第１基部１１の高さより小の高さで第１基部１１と段差１１２を介して連続する第３基部１１ａと、第３基部１１ａの下端から外側に直角に延びる第３下部鍔１４ａを有する。第１部材１の機能部Ｙは、第２部材２の機能部Ｙと協同で連結具１０の機能部Ｙを構成する。表示体５０の閉じた係止溝端に段差１１２を当接した嵌め込みができ、且つ支持体６０側を縦長にできるため、支持体６０との嵌合が安定する。
【００３０】
更に、第１部材１において、機能部Ｙに長手方向に連続する結合部Ｚを有する。結合部Ｚにおける第１部材１は、第３基部１１ａから連続して長手方向に延びる第１係止部、本例では突出片１１１である。これにより、第２部材２の第５基部２１ｂとの結合が安定する。また、本例では、結合部Ｚの突出片１１１に螺子用の切り欠き部１１８を有する。これにより、第１部材１と第２部材２との螺子固定が可能となる。
【００３１】
表示体連結具１０において、第２部材２は図５に示すように、四角形断面且つ長手方向に延びる板状の第２基部２１の上端から外側に直角に延びる第２上部鍔部２２と、第２基部２１の上下方向の中間から外側に直角に延びる第２中間鍔部２３と、第２基部２１の下端から外側に直角に延びる第２下部鍔部２４と、第２上部鍔部２２と第２中間鍔部２３間の第２上部係止溝２５と、第２中間鍔部２３と第２下部鍔部２４間の第２下部係止溝２６を有する。
【００３２】
第２部材２において、第２基部２１は、本例では、上下方向の長さが幅方向長さに比較して大の縦長の矩形断面のものであり、内側の面２１７は第１部材１に対する当接面を形成する。当接面は内側の面２１７全体であってもよく、内側の面２１７の一部であってもよい。内側の面２１７の一部とは、第２基部２１がくり抜き状のリブ構造の場合に表れるものである。従って、第２基部２１の板状とは、内側の面２１７から内方（深さ方向）に一部がくり抜かれたものであってもよい。また、第２部材２は、第２基部２１の内側の面２１７より内側の面から内方に直角に切り込まれ且つ長手方向（スライド方向）に延びる係合溝２１６を有する。第２部材２の係合溝２１６は、第１部材１の突出片１１１に係合するものであり、組み立て体形状を、第１部材１と第２部材２を長手方向にスライド移動させるのみで得ることができる。
【００３３】
第２部材２において、第２上部鍔部２２、第２中間鍔部２３及び第２下部鍔部２４は、いずれも矩形断面形状（板状形状）であり、このため、第２上部係止溝２５及び第２下部係止溝２６は、いずれも四角断面溝である。これにより、支持体６０と表示体５０の係止溝６１、５３を構成する左右両鍔６５、５５を四角断面溝に確実に嵌めこむことができる。また、第２上部鍔部２２、第２中間鍔部２３及び第２下部鍔部２４は、本例では図１の長手方向の符号Ｘの範囲に形成されている。
【００３４】
第２部材２において、第２上部鍔部２２は天板を構成するものであり、第２上部鍔部２２の上面には高さが１ｍｍ程度の微小突起２９が形成されている。これにより、表示体５０との強い嵌合が得られる。また、第２中間鍔部２３の上面には、高さが１ｍｍ程度の微小突起２８が形成されている。これにより、表示体５０との強い嵌合が得られる。また、第２下部鍔部２４は底面を形成するものであり、その下面２１９には、高さが１ｍｍ程度の微小突起２９ａが形成されている。これにより、支持体６０との強い嵌合が得られる。Ｘ域における第２上部鍔部２２、第２中間鍔部２３及び第２上部係止溝２５は、上部係止部の他の一部を構成し、第２中間鍔部２３、第２下部鍔部２４及び第２下部係止溝２６は、下部係止部の他の一部を構成し、上部係止部の他の一部及び下部係止部の他の一部で、本発明の係止構造体Ｘ１の一部を構成する。
【００３５】
第２部材２の機能部Ｙは、係止構造体Ｘ１に長手方向に連続する。第２部材２は、第２基部２１の高さより小の高さで第２基部２１と段差２１２を介して連続する第４基部２１ａと、第４基部２１ａの下端から外側に直角に延びる第４下部鍔部２４ａを有する。第２部材２の機能部Ｙは、第１部材１の機能部Ｙと協同で連結具１０の機能部Ｙを構成する。表示体５０の閉じた係止溝端に段差２１２を当接した嵌め込みができ、且つ支持体６０側を縦長にできるため、支持体６０との嵌合が安定する。
【００３６】
更に、第２部材２において、機能部Ｙの先端部に長手方向に連続する結合部Ｚを有する。結合部Ｚにおける第２部材２は、第４基部２１ａから連続して長手方向に延び且つ左右方向に拡幅の第５基部２１ｂを有し、第５基部２１ｂの下端から両外側に直角に延びる左右鍔部１４ｂ、２４ａを有し、左右鍔部１４ｂ、２４ａの一方の鍔部は、第２下部鍔部２４又は第４下部鍔部と同形状で連続するものである。結合部Ｚにおける第５基部２１ｂには、第１係止部、本例では突出片１１１に係合する係合溝２１６を有する。また、本例では、第５基部２１ｂに上下方向に貫通する螺子孔を有する。これにより、第１部材１と第２部材２との螺子固定が可能となる。
【００３７】
表示体連結具１０の使用方法の一例を図７〜図１２を参照して説明する。表示体連結具１０は第１部材と第２部材が一体となっており、各部材の説明において、「第１」、「第２」は省略することがある。先ず、第２部材２を表示体５０の表示体係止溝５３に入れ込む（図７及び図８）。この際、第２部材２の上部係止部２Ａが係止溝５３に先に入るようにして入れ込む。表示体係止溝５３は、両端が閉じられた逆Ｔ字断面形状の溝であり、開口幅Ｗ３を有する。第２部材２の幅方向（左右方向）長さＷ２は、表示体係止溝５３の開口幅Ｗ３より小である。このため、第２部材２は表示体５０の表示体係止溝５３に容易に入れ込むことができる。なお、表示体連結具１０の幅方向（左右方向）長さＷ１＋Ｗ２の合計寸法は、表示体係止溝５３の開口幅Ｗ３より大であり、組み付け体では挿入できない。
【００３８】
次いで、第１部材１を第２部材２より下方の表示体係止溝５３に入れ込む（図８）。この際、第１部材１の上部係止部１Ａが係止溝５３に先に入るようにする。第１部材１の幅方向（左右方向）長さＷ１は、表示体係止溝５３の開口幅Ｗ３より小である。このため、第１部材１は表示体５０の表示体係止溝５３に容易に入れ込むことができる。次いで、表示体係止溝５３内において、第１部材１を上方移動させる。この移動の際、第１部材１は、表示体係止溝５３内において摩擦等はなく容易に移動できる。次いで、第１部材１の突出片１１１が第２部材２に当たる位置にくると、その位置には係合溝２１６が形成されており、第１部材１は、突出片１１１が第２部材２の係合溝２１６に入りながら上方移動し、第１部材１と第２部材２は係止する（図９及び図１０）。この係止はやや強い係止であり、少し力を入れながらの係止となる。本例の場合、第２部材２は表示体係止溝５３の端部に段差２１２が当接して係止しており、第２部材２に第１部材１を強く押し込むことができる。第１部材１と第２部材２が完全に係止すると、縦方向に延びる表示体係止溝５３の上端に連結具１０を固定することができる（図１１）。この際、上部鍔部１２、２２の上面に形成された微小突起１９、２９により、連結具１０と表示体５０との連結が強いものとなる。
【００３９】
次いで、同様の方法により、縦方向に延びる表示体係止溝５３の下端に連結具１０を連結する（図１３）。次いで、支持体である支柱６０の支持体係止溝６１に連結具１０の下部係止部１Ｂを係止する。支柱６０の支持体係止溝６１は上下端が開放されている開放溝である。このため、連結具１０の結合部Ｚ側又はその反対側からの挿入が可能となる。結合部Ｚ側から係止構造体Ｘの端部まで、下部鍔部は同一形状で連続するため、Ｚ及びＹ域の下部鍔部及び係止構造体Ｘの下部係止部１Ｂは、支持体係止溝６１の逆Ｔ字断面形状の溝内に係止する。図１３の下方の連結具１０は、支柱６０の支持体係止溝６１内に完全に通され、次いで、図１３の上方の連結具１０が、支柱６０の支持体係止溝６１内に通される（図１４）。次いで、螺子７０を連結具１０の螺子孔９に螺合させて固定する。これにより、表示体５０と支柱（支持体）６０の連結を完了する。表示体５０は、フレームの外側に形成される凹状溝が、両端が閉止する部分溝であるにも拘らず、２つの縦分割された樹脂製の第１部材１と第２部材２により、支持体６０に固定が可能となる。
【００４０】
本発明の連結具は、上記実施の形態例に限定されず、種々の変形を採ることができる。実施の形態例の連結具１０において、機能部Ｙと結合部Ｚは省略することができる。すなわち、図１６の連結具１０Ａは、係止構造体Ｘのみからなるものであってもよい。この場合、段差がなく、また螺子止め固定もできないものの、本願発明の効果を奏することができる。図１６の連結具１０Ａにおいて、突出片１１１は第２部材２に形成し、係合溝２１６を第１部材１に形成してもよい。また、実施の形態例の連結具１０において、結合部Ｚを省略することができる。この場合、連結具は、係止構造体Ｘと機能部Ｙを有するものとなる。また、連結具１０、１０Ａにおいて、第１係止部及び第２係止部は省略してもよい。
【００４１】
実施の形態例の連結具１０において、第２部材２の螺子孔９及び第１部材の切り欠き部１１２は省略することができる。実施の形態例の連結具１０において、第１下部鍔部１４及び第２下部鍔部２４の板状物は、底面から深さ方向にくり抜き状のリブ構造としてもよい。
【産業上の利用可能性】
【００４２】
本発明によれば、両端が閉じられた凹状溝を外周フレームに有するポスターフレームをポール等の支持体の係止溝に簡単な作業で連結できる。従来、このようなポスターフレームのポールへの固定は、螺子止めで行われていたが、作業スペースが狭く、作業し難いものであったが、本発明のように、縦に２つ割りの部材を使用することで、容易に連結できるため、作業効率が向上する。また、図１１に示すように、ドライバーや螺子を使用する場合であっても、ポスターフレームの外側の作業であり、作業は容易である。また、売り場の模様替え等の場合、螺子を緩めれば、ポールに対するポスターフレームの固定位置を容易に変更できる。
【符号の説明】
【００４３】
１    第１部材
２    第２部材
１０、１０Ａ  表示体連結具
１１  第１基部
１２  第１上部鍔部
１３  第１中間鍔部
１４  第１下部鍔部
１５  第１上部係止溝
１６  第１下部係止溝
２１  第２基部
２２  第２上部鍔部
２３  第２中間鍔部
２４  第２下部鍔部
２５  第２上部係止溝
２６  第２下部係止溝
５０  表示体（ポスターフレーム）
６０  支柱（支持体）
１１１  突出片（第１係止部又は第２係止部）
２１６  係合溝（第１係止部又は第２係止部）
Ｘ    係止構造体
Ｙ    機能部
Ｚ    結合部
【図１】
0006504785.tif 000002
【図２】
0006504785.tif 000003
【図３】
0006504785.tif 000004
【図４】
0006504785.tif 000005
【図５】
0006504785.tif 000006
【図６】
0006504785.tif 000007
【図７】
0006504785.tif 000008
【図８】
0006504785.tif 000009
【図９】
0006504785.tif 000010
【図１０】
0006504785.tif 000011
【図１１】
0006504785.tif 000012
【図１２】
0006504785.tif 000013
【図１３】
0006504785.tif 000014
【図１４】
0006504785.tif 000015
【図１５】
0006504785.tif 000016
【図１６】
0006504785.tif 000017